(57)【要約】【課題】床下部での作業を不要にして、住宅ユニットを上方に連結一体化してゆく作業を容易且つ効率良く行うことを可能にするユニット住宅の施工方法を提供する。【解決手段】予め形成された複数の住宅ユニット１０を建築施工現場で組み立てて構築するユニット住宅１４の施工方法において、最下階部分の床パネル部材１１を設置した後、この床パネル部材１１の上方に、壁パネル部材１２の上端部に上階部分の床パネル部材１３を接合してなる上面床パネルユニット１０を積層配置すると共に、この上面床パネルユニット１０の壁パネル部材１２の下端部を先行配置された下方の床パネル部材１１，１３に接合しつつ、複数の上面床パネルユニット１０によって複数階のユニット住宅１４を組み立ててゆく。【選択図】        図１
2004162268.tif 000002
【特許請求の範囲】
【請求項１】
予め形成された複数の住宅ユニットを建築施工現場で組み立てて構築するユニット住宅の施工方法において、
最下階部分の床パネル部材を設置した後、該床パネル部材の上方に、壁パネル部材の上端部に上階部分の床パネル部材を接合してなる上面床パネルユニットを積層配置すると共に、該上面床パネルユニットの壁パネル部材の下端部を先行配置された下方の床パネル部材に接合しつつ、複数の上面床パネルユニットによって複数階のユニット住宅を組み立ててゆくことを特徴とするユニット住宅の施工方法。
【請求項２】
前記上階部分の床パネル部材を逆さにして形成し、該床パネル部材から前記壁パネル部材を上方に立設して取り付けた後、上下に反転させることにより、前記壁パネル部材の上端部に上階部分の床パネル部材を接合した前記上面床パネルユニットを形成する請求項１記載のユニット住宅の施工方法。
【請求項３】
請求項１又は２に記載のユニット住宅の施工方法に用いる上面床パネルユニットであって、
直方体形状に割り付けられたユニット領域の少なくとも２側面に沿って立設配置される壁パネル部材と、該壁パネル部材の上端部に周縁部が接合されて、該壁パネル部材と共に箱形形状を形成する平面矩形形状の床パネル部材とからなることを特徴とする上面床パネルユニット。
【発明の詳細な説明】
【０００１】
【発明の属する技術分野】
本発明は、予め形成された複数の住宅ユニットを建築施工現場で組み立てて構築するユニット住宅の施工方法及び該施工方法に用いる上面床パネルユニットに関する。
【０００２】
【従来の技術】
住宅建築物の施工の迅速化や高精度化を図るべく、予め工場等で形成された複数の住宅ユニットを建築施工現場で組み立てて構築するユニット住宅が開発されている。このようなユニット住宅においては、例えば直方体形状に割り付けられて形成された各住宅ユニットを例えば運送用のトラック等に積み込んで建築施工現場に搬入し、例えばクレーン等の吊り上げ用の重機を用いて吊り上げて所定の位置に設置し、他の住宅ユニットと共に接合一体化することによってユニット住宅を組み立てる。
【０００３】
従来のユニット住宅によれば、当該ユニット住宅を構成する住宅ユニットは、床パネル部材から天井パネル部材までを上下の区画割として割り付けたユニット形状となっているのが一般的である（例えば、特許文献１、特許文献２参照）。また、図５に示すように、床パネル部材５０から壁パネル部材５１の上端までを上下の区画割として割り付けた住宅ユニット５２とされる場合もある。
【０００４】
【特許文献１】
特許第２５６２２２９号公報
【特許文献２】
特許第３０５０９４２号公報
【０００５】
【発明が解決しようとする課題】
ユニット住宅を構成する従来の住宅ユニット５２のユニット形状は、上述のように、床パネル部材５０の上面から壁パネル部材５１を立設配置し、さらに必要に応じて天井パネル部材を設けた形状となっており、ユニット住宅は、下階部分の住宅ユニット５２の壁パネル部材５１や天井パネル部材に上階部分の住宅ユニット５２の床パネル部材５０が接合される構造となることから、上下の住宅ユニット５２を連結一体化するための作業は、上階部分の住宅ユニット５２の床パネル部材５０の下方における作業となる。そして、このような上階部分の住宅ユニット５２の床下部での作業は、下階部分の床面から高所の作業となるため足場の確保等が必要になり、また下階部分の住宅ユニット５２が天井パネル部材を有するものである場合には、床パネル部材５０と天井パネル部材との間の狭い空間における作業になる等、上下の住宅ユニット５２を連結一体化する作業に多くの手間と時間を要することになる。
【０００６】
また、住宅ユニット５２に天井パネル部材が設けられていない場合には、床パネル部材５０の周縁部分から立設配置される壁パネル部材５１は、その上端部分が支持されない片持ち状態となるため、住宅ユニット５２は安定した立体剛性を確保することが困難になる。すなわち、住宅ユニット５２の運搬中や吊り上げ作業中に、壁パネル部材５１が傾倒し易くなって当該壁パネル部材５１の取付け精度が劣ることになることから、垂直補正を要する等、壁パネル部材５１の施工精度を高めるための手段を別途必要とすることになる。
【０００７】
本発明は、このような従来の課題に着目してなされたもので、床下部での作業を不要にして、住宅ユニットを上方に連結一体化してゆく作業を容易且つ効率良く行うことを可能にすると共に、運搬中や吊り上げ作業中における壁パネル部材の傾倒を効果的に回避しつつ住宅ユニットの組立作業を行うことを可能にするユニット住宅の施工方法及び上面床パネルユニットを提供することを目的とする。
【０００８】
【課題を解決するための手段】
本発明は、予め形成された複数の住宅ユニットを建築施工現場で組み立てて構築するユニット住宅の施工方法において、最下階部分の床パネル部材を設置した後、該床パネル部材の上方に、壁パネル部材の上端部に上階部分の床パネル部材を接合してなる上面床パネルユニットを積層配置すると共に、該上面床パネルユニットの壁パネル部材の下端部を先行配置された下方の床パネル部材に接合しつつ、複数の上面床パネルユニットによって複数階のユニット住宅を組み立ててゆくことを特徴とするユニット住宅の施工方法を提供することにより、上記目的を達成したものである（請求項１記載の発明）。
【０００９】
そして、本発明のユニット住宅の施工方法によれば、前記上階部分の床パネル部材を逆さにして形成し、該床パネル部材から前記壁パネル部材を上方に立設して取り付けた後、上下に反転させることにより、前記壁パネル部材の上端部に上階部分の床パネル部材を接合した前記上面床パネルユニットを形成するようにすることが好ましい（請求項２記載の発明）。
【００１０】
また、本発明は、上記ユニット住宅の施工方法に用いる上面床パネルユニットであって、直方体形状に割り付けられたユニット領域の少なくとも２側面に沿って立設配置される壁パネル部材と、該壁パネル部材の上端部に周縁部が接合されて、該壁パネル部材と共に箱形形状を形成する平面矩形形状の床パネル部材とからなることを特徴とする上面床パネルユニットを提供することにより、上記目的を達成したものである（請求項３記載の発明）。
【００１１】
ここで、上記記載において、床パネル部材は、縦枠材、横枠材等を縦横に配置してなる床枠組に床下用面材等を取り付けてなるいわゆる床パネルの他、床枠組のみよって形成されるパネル状の床構面も含むものであり、また最上階部分の住宅ユニットに配置されて屋根裏空間の床面を構成する床パネル部材をも含むものである。さらに、床パネル部材は、住宅ユニットの天井パネル部材を兼ねるものであっても良く、床パネル部材と天井パネル部材とが一体化として設けられている場合には、天井パネル部材を含めた全体を床パネル部材として取り扱うことができる。
【００１２】
また、上記記載において、壁パネル部材は、縦枠材、横枠材等を縦横に配置してなる壁枠組に壁下地用面材等を取り付けてなるいわゆる壁パネルの他、壁枠組のみよって形成されるパネル状の壁構面も含むものであり、また壁パネル部材は、外壁を構成するものの他、仕切壁を構成するものであっても良い。
【００１３】
そして、本発明によれば、最下階部分の床パネル部材を設置した後、上階部分の床パネル部材を上端部に有する上面床パネルユニットを上方に積層配置し、この上面床パネルユニットの壁パネル部材の下端部を先行配置された下方の床パネル部材に接合しつつユニット住宅を組み立ててゆくので、住宅ユニットを上方に連結一体化してゆく作業を行う際に、先行配置された下方の床パネル部材を強固かつ安定した作業床として施工することが可能になり、これによって当該床パネル部材に壁パネル部材の下端部を接合してゆく作業を、迅速、安全、且つ容易に行うことが可能になる。
【００１４】
また、住宅ユニットとしての上面床パネルユニットは、壁パネル部材の上端部に上階部分の床パネル部材を接合して形成されており、天面部分の床パネル部材によって上面床パネルユニットの上端部分の寸法精度が強固に保持されると共に、相当の立体剛性を備えることになるので、住宅ユニットの吊り上げ時等において箱形形状にゆがみが生じ難くなり、従って住宅ユニットの施工精度を容易に確保することが可能になると共に、吊り上げられて据え付けられるまでの間、壁パネル部材は床パネル部材から垂直下方に垂下された状態となるので、その垂直精度を容易に保持することができ、壁パネル部材の施工精度を効果的に向上させることが可能になる。
【００１５】
【発明の実施の形態】
本発明の好ましい一実施形態を添付図面を参照しつつ詳細に説明する。本実施形態のユニット住宅の施工方法は、例えば在来軸組構法や枠組壁構法等による木造住宅建築物を、工場等において予め形成された複数の住宅ユニットを建築施工現場で組み立てて構築する際の施工方法として採用されたものである。
【００１６】
ずなわち、本実施形態のユニット住宅の施工方法は、図１に示すように、予め形成された複数の住宅ユニット（上面床パネルユニット）１０を建築施工現場で組み立てて構築する施工方法において、最下階部分の床パネル部材（最下階床パネル部材）１１を設置した後、この最下階床パネル部材１１の上方に、壁パネル部材１２の上端部に上階部分の床パネル部材（上階床パネル部材）１３を接合してなる上面床パネルユニット１０を積層配置すると共に、この上面床パネルユニット１０の壁パネル部材１２の下端部を先行配置された下方の床パネル部材１１，１３に接合しつつ、複数の住宅ユニット１０によって複数階のユニット住宅１４を組み立ててゆくものである。
【００１７】
そして、本実施形態によれば、図２にも示すように、上述のユニット住宅の施工方法に用いる上面床パネルユニット１０は、住宅ユニットを形成しやすいような複数の領域となるようにユニット住宅１４を縦横及び上下に区画割して割り付けられた直方体形状のユニット領域の少なくとも２側面に沿って立設配置される壁パネル部材１２と、この壁パネル部材１２の上端部に周縁部が接合されて、この壁パネル部材１２と共に箱形形状を形成する平面矩形形状の床パネル部材１１とによって形成されている。
【００１８】
最下階床パネル部材１１は、ユニット住宅１４の基礎や土台の上に載置されて、ユニット住宅１４の最下階部分の床部を構成する部材であり、枠組み部材として下枠、根太、縦桟、横桟等を縦横に配置してなる床構面に、床下地用面材等の面材を必要に応じて取り付けることにより形成され、一般の床パネル部材と同様の構成を有するパネル部材である。また、最下階床パネル部材１１には、断熱材、防水材、防湿材等を適宜取り付けておくこともできる。なお、最下階床パネル部材１１は、予め工場等で形成されたものを建築施工現場に搬入して設置することができる他、建築施工現場において現場施工によって設置することもできる。
【００１９】
上面床パネルユニット１０を構成する壁パネル部材１２は、枠組み部材として柱、間柱、下枠、縦枠、上枠等を縦横に配置してなる壁構面に、壁下地用面材等の面材を適宜取り付けて形成され、一般の壁パネル部材と同様の構成を有するパネル部材である。また、壁パネル部材１２には、断熱材、防水材、防湿材、防音材等を適宜取り付けておくこともでき、窓用開口等を形成しておくこともできる。なお、壁パネル部材１２は、直方体形状のユニット領域の各側面に沿って、当該各側面の全域に設けられる必要は必ずしもなく、各側面の一部に設けられるものであっても良い。
【００２０】
上面床パネルユニット１０を構成する上階床パネル部材１３は、枠組み部材として下枠、根太、縦桟、横桟等を縦横に配置してなる床構面に、床下地用面材等の面材を必要に応じて取り付けることにより形成され、一般の床パネル部材と同様の構成を有するパネル部材である。また、本実施形態によれば、上階床パネル部材１３には、その下側部分に、天井吊り木、吊り木受、天井下地用面材等が取り付けられており、これによって天井パネル部材と一体となった構造を備えている。なお、上階床パネル部材１３は、断熱材、防水材、防湿材、防音材、防振材等を適宜取り付けておくこともできる。
【００２１】
本実施形態によれば、上階床パネル部材１３と壁パネル部材１２とからなる各上面床パネルユニット１０は、予め工場等において形成される。すなわち、公知の各種の接合金物等を介して、上階床パネル部材１３と壁パネル部材１２とが、例えば規格化された一連の作業工程に沿って迅速且つ精度良く組み立てられると共に、これらが容易且つ強固に接合一体化されて、高品質の上面床パネルユニット１０が形成されることになる。
【００２２】
ここで、上述の上面床パネルユニット１０の組立作業において、図３に示すように、まず上階床パネル部材１３を逆さにして形成し、この上階床パネル部材１３から壁パネル部材１２を上方に立設して取り付けた後、上下に反転させることにより、壁パネル部材１２の上端部に上階床パネル部材１３を接合した上面床パネルユニット１０を形成するようにすれば、当該工場等における組立作業において、壁パネル部材１２の上端部に上階床パネル部材１３を取り付けるための高所作業を省略することができ、さらに容易に上面床パネルユニット１０を形成することが可能になる。
【００２３】
工場等において形成された上面床パネルユニット１０は、例えば運送用のトラック等に積み込んで建築施工現場に搬入し、図４に示すように、公知の各種の吊り上げ金物を介して、例えばクレーン等の吊り上げ用の重機を用いて吊り上げて、基礎や土台の上に設置された最下階床パネル部材１１の上方に、順次積層配置されてゆく（図１参照）。また壁パネル部材１２の下端部を、公知の各種の接合金物等を介して、先行配置された最下階床パネル部材１１、或いは下階部分の上面床パネルユニット１０の上階床パネル部材１３に接合しつつ、複数の住宅ユニット１０によって複数階のユニット住宅１４を組み立ててゆく。
【００２４】
そして、本実施形態によれば、床下部での作業を不要にして、住宅ユニット１０を上方に連結一体化してゆく作業を容易且つ効率良く行うことができると共に、運搬中や吊り上げ作業中における壁パネル部材１２の傾倒を効果的に回避しつつ住宅ユニット１０の組立作業を行うことができる。
【００２５】
すなわち、本実施形態によれば、上面床パネルユニット１０は、壁パネル部材１２の下端から上階床パネル部材１３の上面までを上下の区画割として割り付けられており、上面床パネルユニット１０の壁パネル部材１２の下端部を先行配置された下方の床パネル部材１１，１３に接合しつつユニット住宅１４を組み立ててゆくので、上面床パネルユニット１０を上方に連結一体化してゆく作業を行う際に、先行配置された下方の床パネル部材１１，１３の床下地用面材等を強固かつ安定した作業床として施工することが可能になり、これによって当該床パネル部材１１，１３に壁パネル部材１２の下端部を接合してゆく作業を、迅速、安全、且つ容易に行うことが可能になる。なお、床パネル部材１１，１３が床枠組による構面のみによって形成されている場合でも、当該床枠組に支持させて合板等の面材を敷設することにより、安定した作業床を容易に設置することができ、この作業床において上面床パネルユニット１０を上方に連結一体化してゆく作業を速やかに行うことが可能になる。
【００２６】
また、上面床パネルユニット１０は、壁パネル部材１２の上端部に上階床パネル部材１３を接合して形成されており、天面部分の上階床パネル部材１３によって上面床パネルユニットの上端部分の寸法精度が強固に保持されると共に、相当の立体剛性を備えることになるので、上面床パネルユニット１０の吊り上げ時（図４参照）等において箱形形状にゆがみが生じ難くなり、従って上面床パネルユニット１０の施工精度を容易に確保することが可能になると共に、吊り上げられて据え付けられるまでの間、壁パネル部材１２は上階床パネル部材１３から垂直下方に垂下された状態となるので、その垂直精度を容易に保持することができ、壁パネル部材１２の施工精度を効果的に向上させることが可能になる。
【００２７】
なお、本発明は上記実施形態に限定されることなく種々の変更が可能である。例えば、本発明のユニット住宅の施工方法は、上面床パネルユニットとして直方体形状に割付けられたユニット領域に納まるものを用いる必要は必ずしもなく、直方体形状以外のその他の形状の住宅ユニットによる施工方法として採用することもできる。また、壁パネル部材は、直方体形状の２側面に沿って立設配置されるものである必要は必ずしもなく、３側面又は４側面に設けられていたり、住宅ユニットの中間部分を横断する仕切壁として設けられていても良い。
【００２８】
【発明の効果】
本発明のユニット住宅の施工方法及び上面床パネルユニットによれば、床下部での作業を不要にして、住宅ユニットを上方に連結一体化してゆく作業を容易且つ効率良く行うことができると共に、運搬中や吊り上げ作業中における壁パネル部材の傾倒を効果的に回避しつつ住宅ユニットの組立作業を行うことができる。
【図面の簡単な説明】
【図１】本発明の一実施形態に係るユニット住宅の施工方法を説明する模式図である。
【図２】（ａ），（ｂ）は上面床パネルユニットを例示する拡大斜視図である。
【図３】上下に反転させることにより、壁パネル部材の上端部に上階部分の床パネル部材を接合した上面床パネルユニットを形成する状況を説明する斜視図である。
【図４】上面床パネルユニットを吊り上げた状況を説明図する斜視図である。
【図５】従来のユニット住宅の施工方法を説明する模式図である。
【符号の説明】
１０  上面床パネルユニット（住宅ユニット）
１１  最下階床パネル部材（最下階部分の床パネル部材）
１２  壁パネル部材
１３  上階床パネル部材（上階部分の床パネル部材）
１４  ユニット住宅
【図１】
2004162268.tif 000003
【図２】
2004162268.tif 000004
【図３】
2004162268.tif 000005
【図４】
2004162268.tif 000006
【図５】
2004162268.tif 000007